(57)【要約】【課題】取り付け形態をバッテリ側のスペースに合わせて選択することができ、汎用性と省スペース化を向上させることができるヒュージブルリンクを提供すること。【解決手段】金属板で一体形成されたヒューズエレメント３０は、バッテリ端子に接続されるバッテリ接続板部３１と、このバッテリ接続板部３１の両側に配置されて、バッテリ接続板部３１の両側に延出された連絡板部３２，３３に可溶部３６，３７を介して接続された２つの外部接続板部３４，３５を備え、隣接する樹脂製ハウジング間に連絡板部３２，３３が露出するように、３つの樹脂製ハウジング４１，４２，４３で支持する。【選択図】図１
2014164889.tif 000002
【特許請求の範囲】
【請求項１】
金属板で一体形成されたヒューズエレメントと、該ヒューズエレメントを支持する３つの樹脂製ハウジングと、を備えて、バッテリ端子に直付けされるヒュージブルリンクであって、
前記ヒューズエレメントは、
前記バッテリ端子に接続されるバッテリ接続板部と、
前記バッテリ接続板部の対向する両側縁から、該両側縁の対向方向外側に向かって延出した一対の連絡板部と、
外部回路を接続する２つの外部接続板部であって、前記バッテリ接続板部の両側で、前記連絡板部が延出する前記バッテリ接続板部の側縁と前記連絡板部とで囲う領域に、前記連絡板部と前記バッテリ接続板部とから離間した状態に配置される２つの外部接続板部と、
前記連絡板部と該連絡板部に対向する外部接続板部とを導通接続すると共に定格以上の電流が流れたときに溶断する可溶部と、
を備え、
前記３つの樹脂製ハウジングは、
前記一対の連絡板部が外部に突出するように前記バッテリ接続板部を収容する第１ハウジングと、
前記第１ハウジングの一側に位置している前記連絡板部と前記可溶部と前記外部接続板部とを、前記第１ハウジングとの間に前記連絡板部の一部を露出した状態で残して収容する第２ハウジングと、
前記第１ハウジングの他側に位置している前記連絡板部と前記可溶部と前記外部接続板部とを、前記第１ハウジングとの間に前記連絡板部の一部を露出した状態で残して収容する第３ハウジングと、から構成され、
前記第１ハウジングに対する前記第２ハウジング及び前記第３ハウジングの向きを、ハウジング間に露出している前記連絡板部の折り曲げによって、変更可能なこと、
を特徴とするヒュージブルリンク。
【請求項２】
請求項１に記載のヒュージブルリンクにおいて、
前記バッテリ接続板部の両側縁には、前記連絡板部と平行に前記バッテリ接続板部の側縁から延出する補強用板部が一体形成され、
前記第２ハウジング及び前記第３ハウジングは、自体に向かって延びている前記補強用板部が前記連絡板部と一緒に折り曲げされるように、自体に向かって延びている前記補強用板部の先端部を保持していることを特徴とするヒュージブルリンク。
【請求項３】
請求項１又は２に記載のヒュージブルリンクであって、
前記第１ハウジングには、前記連絡板部の折り曲げによって前記第２ハウジング又は前記第３ハウジングの向きを変えた際に向きを変更したハウジング上の係合部と係合して、該ハウジングの向きを固定するハウジング係止手段を備えたことを特徴とするヒュージブルリンク。
【請求項４】
請求項３に記載のヒュージブルリンクであって、
前記ハウジング係止手段は、前記バッテリ接続板部の板厚方向に対向する両外側面の両側縁寄りの位置にそれぞれ装備されていること、
を特徴とするヒュージブルリンク。
【発明の詳細な説明】
【技術分野】
【０００１】
本発明は、バッテリ端子に直付けされるヒュージブルリンクに関する。
【背景技術】
【０００２】
図６は、下記特許文献１に開示されたヒュージブルリンクを示したものである。
このヒュージブルリンク１００は、車載のバッテリ２００のバッテリポスト２１０に結合されるバッテリ端子２２０に直付けされる。
【０００３】
ヒュージブルリンク１００は、金属板で一体形成されたヒューズエレメント１１０と、該ヒューズエレメント１１０を支持する第１ハウジング１２０及び第２ハウジング１３０の２つの樹脂製ハウジングと、を備えている。
【０００４】
ヒューズエレメント１１０は、バッテリ端子２２０のスタッドボルト２２１に接続されるバッテリ接続板部１１１と、このバッテリ接続板部１１１から分岐する複数の連絡板部１１２に可溶部１１３を介して接続された複数の舌片状の外部接続板部１１４と、を備えている。可溶部１１３は、定格以上の電流が流れたときに溶断して、外部接続板部１１４に接続されている外部回路を保護する。
【０００５】
第１ハウジング１２０は、連絡板部１１２の基端部とバッテリ接続板部１１１と、を支持している。第２ハウジング１３０は、連絡板部１１２の先端部から外部接続板部１１４の基端部までを支持している。第１ハウジング１２０と第２ハウジング１３０との間に露出する連絡板部１１２は、折り曲げ部となる。
【０００６】
第１ハウジング１２０と第２ハウジング１３０とは、両者間に露出する連絡板部１１２を直角に折り曲げることで、図示のように互いに直交する形態に維持される。
【０００７】
特許文献１に開示のヒュージブルリンク１００は、バッテリ端子２２０を介してバッテリ２００に取り付けた際に、第２ハウジング１３０がバッテリ２００の側面２０１の上に重なる配置となる。
【０００８】
なお、図６において符号１５０は、ヒュージブルリンク１００に追加接続する別のヒュージブルリンクである。また、符号１６０はヒュージブルリンク１００の外部接続板部１１４と接続する外部機器の給電コネクタであり、符号１７０はヒュージブルリンク１５０の外部接続板部１５１と接続する外部機器の給電コネクタである。
【先行技術文献】
【特許文献】
【０００９】
【特許文献１】特開２００５−１１６３０９号公報
【発明の概要】
【発明が解決しようとする課題】
【００１０】
ところで、特許文献１に記載のヒュージブルリンク１００は、バッテリ２００への取り付け形態が１通りに決まっており、バッテリ側の取り付けスペースが変更された場合に対応することができず、汎用性が低いという問題があった。
【００１１】
また、近年は車載の電気回路が増大し、車載のヒュージブルリンクも増える傾向にあるため、ヒュージブルリンクの省スペース化を図ることが、重要課題になっている。
【００１２】
そこで、本発明の目的は、上記課題を解消することに係り、取り付け形態をバッテリ側のスペースに合わせて選択することができ、汎用性と省スペース化を向上させることができるヒュージブルリンクを提供することにある。
【課題を解決するための手段】
【００１３】
本発明の前述した目的は、下記の構成により達成される。
（１）  金属板で一体形成されたヒューズエレメントと、該ヒューズエレメントを支持する３つの樹脂製ハウジングと、を備えて、バッテリ端子に直付けされるヒュージブルリンクであって、
前記ヒューズエレメントは、
前記バッテリ端子に接続されるバッテリ接続板部と、
前記バッテリ接続板部の対向する両側縁から、該両側縁の対向方向外側に向かって延出した一対の連絡板部と、
外部回路を接続する２つの外部接続板部であって、前記バッテリ接続板部の両側で、前記連絡板部が延出する前記バッテリ接続板部の側縁と前記連絡板部とで囲う領域に、前記連絡板部と前記バッテリ接続板部とから離間した状態に配置される２つの外部接続板部と、
前記連絡板部と該連絡板部に対向する外部接続板部とを導通接続すると共に定格以上の電流が流れたときに溶断する可溶部と、
を備え、
前記３つの樹脂製ハウジングは、
前記一対の連絡板部が外部に突出するように前記バッテリ接続板部を収容する第１ハウジングと、
前記第１ハウジングの一側に位置している前記連絡板部と前記可溶部と前記外部接続板部とを、前記第１ハウジングとの間に前記連絡板部の一部を露出した状態で残して収容する第２ハウジングと、
前記第１ハウジングの他側に位置している前記連絡板部と前記可溶部と前記外部接続板部とを、前記第１ハウジングとの間に前記連絡板部の一部を露出した状態で残して収容する第３ハウジングと、から構成され、
前記第１ハウジングに対する前記第２ハウジング及び前記第３ハウジングの向きを、ハウジング間に露出している前記連絡板部の折り曲げによって、変更可能なこと、
を特徴とするヒュージブルリンク。
【００１４】
（２）  上記（１）に記載のヒュージブルリンクにおいて、
前記バッテリ接続板部の両側縁には、前記連絡板部と平行に前記バッテリ接続板部の側縁から延出する補強用板部が一体形成され、
前記第２ハウジング及び前記第３ハウジングは、自体に向かって延びている前記補強用板部が前記連絡板部と一緒に折り曲げされるように、自体に向かって延びている前記補強用板部の先端部を保持していることを特徴とするヒュージブルリンク。
【００１５】
（３）  上記（１）又は（２）に記載のヒュージブルリンクであって、
前記第１ハウジングには、前記連絡板部の折り曲げによって前記第２ハウジング又は前記第３ハウジングの向きを変えた際に向きを変更したハウジング上の係合部と係合して、該ハウジングの向きを固定するハウジング係止手段を備えたことを特徴とするヒュージブルリンク。
【００１６】
（４）  上記（３）に記載のヒュージブルリンクであって、
前記ハウジング係止手段は、前記バッテリ接続板部の板厚方向に対向する両外側面の両側縁寄りの位置にそれぞれ装備されていること、
を特徴とするヒュージブルリンク。
【００１７】
上記（１）の構成によれば、ヒューズエレメントを支持する樹脂製のハウジングが３つの樹脂製ハウジングから構成されていて、隣接する樹脂製ハウジング間に露出する連絡板部を折り曲げることで、３つ折り構造のコンパクトな形態で使用することができ、バッテリに取り付けた際に省スペース化を達成することができる。
【００１８】
また、隣接する樹脂製ハウジング間に露出する連絡板部の折り曲げ方向は、バッテリ側のスペースに合わせて選択することができる。換言すると、取り付け形態をバッテリ側のスペースに合わせて選択することができ、汎用性を向上させることができる。
【００１９】
上記（２）の構成によれば、隣接する樹脂製ハウジング間に露出する連絡板部を折り曲げた際には、同時に、補強用板部が折り曲げられる。そのため、補強用板部に折り曲げ形状を維持する剛性を付与しておくことで、車両の振動が導電路となる連絡板部に伝達することを抑止して、ヒューズエレメントの耐久性を向上させることができる。
【００２０】
上記（３）の構成によれば、隣接する樹脂製ハウジング間に露出する連絡板部を折り曲げた際に、ハウジング相互間の相対位置は、それぞれのハウジングに装備された係合部とハウジング係止手段との係合によって、固定される。そのため、車両の振動がヒュージブルリンクに伝達された際に、各ハウジングが連絡板部や補強用板部を支点として振動することを防止して、連絡板部や補強用板部の振動による疲労破壊を抑止することができる。
【００２１】
また、外部接続板部に接続された外部回路からのケーブルに張力が作用した場合に、前記張力が連絡板部や補強用板部に曲げ加重となって作用することを抑止することができ、連絡板部や補強用板部の耐久性を向上させることができる。
【００２２】
上記（４）の構成によれば、第２ハウジングや第３ハウジングは、連絡板部の折り曲げ方向が第１ハウジングの上面側になる場合、又は第１ハウジングの下面側になる場合のいずれであっても、自体の係合部が、第１ハウジング側に装備されているハウジング係止部に係止されて、第１ハウジングに固定される。従って、連絡板部の折り曲げ方向に拘わらず、向きを変更した第２ハウジングや第３ハウジングは、しっかりと第１ハウジングに固定することができる。
【００２３】
以上、本発明について簡潔に説明した。更に、以下に説明される発明を実施するための形態（以下、「実施形態」という。）を添付の図面を参照して通読することにより、本発明の詳細は更に明確化されるであろう。
【発明の効果】
【００２４】
本発明によるヒュージブルリンクによれば、取り付け形態をバッテリ側のスペースに合わせて選択することができ、汎用性と省スペース化を向上させることができる。
【図面の簡単な説明】
【００２５】
【図１】図１は本発明に係るヒュージブルリンクの一実施形態の初期状態の斜視図である。
【図２】図２は一実施形態のヒュージブルリンクで使用するヒューズエレメントの展開状態の斜視図である。
【図３】図３は図１に示したヒュージブルリンクの第１の取り付け形態を示す斜視図である。
【図４】図４は図１に示したヒュージブルリンクの第２の取り付け形態を示す斜視図である。
【図５】図５は図１に示したヒュージブルリンクの第３の取り付け形態を示す斜視図である。
【図６】図６は従来のヒュージブルリンクの斜視図である。
【発明を実施するための形態】
【００２６】
以下、本発明に係るヒュージブルリンクの好適な実施形態について、図面を参照して詳細に説明する。
【００２７】
図１〜図５は本発明に係るヒュージブルリンクの一実施形態を示したもので、図１は本発明の一実施形態のヒュージブルリンクの初期状態の斜視図、図２は一実施形態のヒュージブルリンクで使用するヒューズエレメントの展開状態の斜視図、図３は図１に示したヒュージブルリンクの第１の取り付け形態を示す斜視図、図４は図１に示したヒュージブルリンクの第２の取り付け形態を示す斜視図、図５は図１に示したヒュージブルリンクの第３の取り付け形態を示す斜視図である。
【００２８】
この一実施形態のヒュージブルリンク１は、金属板で一体形成されたヒューズエレメント３０と、該ヒューズエレメント３０を支持する第１ハウジング４１及び第２ハウジング４２及び第３ハウジング４３の３つの樹脂製ハウジングと、を備えて、車載バッテリのバッテリポストに固定されているバッテリ端子（不図示）に直付けされる。
【００２９】
ヒューズエレメント３０は、図２に示すように、不図示のバッテリ端子に接続されるバッテリ接続板部３１と、該バッテリ接続板部３１から延出した一対の連絡板部３２，３３と、外部回路を接続する２つの外部接続板部３４，３５と、一対の可溶部３６，３７と、上記の一対の連絡板部３２，３３と平行にバッテリ接続板部３１から延出した一対の補強用板部３８，３９と、を備えている。
【００３０】
バッテリ接続板部３１は、不図示のバッテリ端子のスタッドボルトにねじ止めする取付孔３１ａを有している。
【００３１】
一対の連絡板部３２，３３は、図２に示すように、バッテリ接続板部３１の対向する両側縁３１ｂ，３１ｃから、これらの両側縁３１ｂ，３１ｃの対向方向外側（図２の矢印Ｘ１方向）に向かって延出している。
【００３２】
２つの外部接続板部３４，３５は、バッテリ接続板部３１の両側であって、バッテリ接続板部３１の側縁３１ｂ，３１ｃと連絡板部３２，３３とで囲う領域に、配置されている。また、２つの外部接続板部３４，３５は、連絡板部３２，３３とバッテリ接続板部３１の側縁３１ｂ，３１ｃとから離間した状態に配置される。
【００３３】
２つの外部接続板部３４，３５の先端には、ボルト取付孔３４ａ，３５ａが設けられている。これらのボルト取付孔３４ａ，３５ａには、図１に示すように、外部回路の端子をねじ止めするためのスタッドボルト５１，５２が接合される。
【００３４】
可溶部３６は、連絡板部３２と該連絡板部３２に対向する外部接続板部３４の基端とを導通接続している。この可溶部３６は、幅を狭めた帯状の導電部３６ａに低融点金属チップ３６ｂを溶着させた構成で、予め設定された定格以上の電流が流れたときに溶断する。
【００３５】
可溶部３７は、連絡板部３３と該連絡板部３３に対向する外部接続板部３５の基端とを導通接続している。この可溶部３７は、幅を狭めた帯状の導電部３７ａに低融点金属チップ３７ｂを溶着させた構成で、予め設定された定格以上の電流が流れたときに溶断する。
【００３６】
一対の補強用板部３８，３９は、図２に示すように、バッテリ接続板部３１に一体形成されている。これらの補強用板部３８，３９は、一対の連絡板部３２，３３と平行に、バッテリ接続板部３１の側縁から延出している。但し、補強用板部３８の先端部は、外部接続板部３４に接近しているが、外部接続板部３４との間には、離間距離が確保されている。また、補強用板部３９の先端部も、外部接続板部３５に接近しているが、外部接続板部３５との間には、離間距離が確保されている。
【００３７】
第１ハウジング４１は、図１に示すように、一対の連絡板部３２，３３が外部に突出するように、バッテリ接続板部３１を収容する。
【００３８】
この第１ハウジング４１には、図１に示すように、ハウジング係止手段４１ｃが装備されている。このハウジング係止手段４１ｃは、バッテリ接続板部３１の板厚方向に対向する第１ハウジング４１の上下の両外側面上で、両側縁寄りの位置にそれぞれ装備されている。
【００３９】
第１ハウジング４１の上面に装備されているハウジング係止手段４１ｃは、図４に示すように、連絡板部３２，３３及び補強用板部３８，３９を上側に直角に折り曲げて、第２ハウジング４２及び第３ハウジング４３の向きを変更したときに、向きを変更した第２ハウジング４２及び第３ハウジング４３の上面に装備されている係合部４２ｃ，４３ｃと係合して、これらのハウジング４２，４３の向きを固定する。
【００４０】
図示していないが、第１ハウジング４１の下面に装備されているハウジング係止手段４１ｃは、図５に示すように、連絡板部３２，３３及び補強用板部３８，３９を下側に直角に折り曲げて、第２ハウジング４２及び第３ハウジング４３の向きを変更したときに、向きを変更した第２ハウジング４２及び第３ハウジング４３の下面に装備されている係合部４２ｃ，４３ｃと係合して、これらのハウジング４２，４３の向きを固定する。
【００４１】
第２ハウジング４２は、第１ハウジング４１の一側（図１では、左側）に位置している連絡板部３２と、可溶部３６と、外部接続板部３４と、補強用板部３８の先端部とを、第１ハウジング４１との間に連絡板部３２及び補強用板部３８の一部を露出した状態で残して、収容する。
【００４２】
第２ハウジング４２は、第１ハウジング４１との間に露出している連絡板部３２を折り曲げる際に、自体に向かって延びている補強用板部３８が連絡板部３２と一緒に折り曲げされるように、自体に向かって延びている補強用板部３８の先端部を保持している。
【００４３】
また、第２ハウジング４２は、可溶部３６を収容する部位の上下両面（外部接続板部３４の板厚方向に対向する面）が、図１に示すように、透明樹脂板による窓部４２ａになっている。そのため、収容している可溶部３６の状態を、収容している外部接続板部３４の板厚方向に対向する２方向から目視可能である。図１及び図３及び図４に示す矢印Ｐ１は、可溶部３６の視認方向を示している。
【００４４】
第２ハウジング４２の上下面には、係合部４２ｃが設けられている。この係合部４２ｃは、連絡板部３２及び補強用板部３８の折り曲げによって第２ハウジング４２の向きを変えた際に、第１ハウジング４１上のハウジング係止手段４１ｃに係止されて、第２ハウジング４２の向きを固定する。
【００４５】
図３に示すように、連絡板部３２及び補強用板部３８を上方に直角に折り曲げたときには、第２ハウジング４２の上面に装備されている係合部４２ｃが、第１ハウジング４１の上面のハウジング係止手段４１ｃと係合して、第２ハウジング４２が第１ハウジング４１に固定される。図５に示すように、連絡板部３２及び補強用板部３８を下方に直角に折り曲げたときには、第２ハウジング４２の下面に装備されている係合部４２ｃが、第１ハウジング４１の下面のハウジング係止手段４１ｃと係合して、第２ハウジング４２が第１ハウジング４１に固定される。
【００４６】
第３ハウジング４３は、第１ハウジング４１の他側（図１では、右側）に位置している連絡板部３３と、可溶部３７と外部接続板部３５と、補強用板部３９の先端部とを、前記第１ハウジング４１との間に連絡板部３３及び補強用板部３９の一部を露出した状態で残して、収容する。
【００４７】
第３ハウジング４３は、第１ハウジング４１との間に露出している連絡板部３３を折り曲げる際に、自体に向かって延びている補強用板部３９が連絡板部３３と一緒に折り曲げされるように、自体に向かって延びている補強用板部３９の先端部を保持している。
【００４８】
また、第３ハウジング４３は、可溶部３７を収容する部位の上下両面（外部接続板部３５の板厚方向に対向する面）が、透明樹脂板による窓部４３ａになっている。そのため、収容している可溶部３７の状態を、収容している外部接続板部３５の板厚方向に対向する２方向から目視可能である。図１及び図３及び図４に示す矢印Ｐ２は、可溶部３７の視認方向を示している。
【００４９】
第３ハウジング４３の上下面には、係合部４３ｃが設けられている。この係合部４３ｃは、連絡板部３３及び補強用板部３９の折り曲げによって第３ハウジング４３の向きを変えた際に、第１ハウジング４１上のハウジング係止手段４１ｃに係止されて、第３ハウジング４３の向きを固定する。
【００５０】
図３に示すように、連絡板部３３及び補強用板部３９を下方に直角に折り曲げたときには、第３ハウジング４３の下面に装備されている係合部４３ｃが、第１ハウジング４１の下面のハウジング係止手段４１ｃと係合して、第３ハウジング４３が第１ハウジング４１に固定される。図４に示すように、連絡板部３３及び補強用板部３９を上方に直角に折り曲げたときには、第３ハウジング４３の上面に装備されている係合部４３ｃが、第１ハウジング４１の上面のハウジング係止手段４１ｃと係合して、第３ハウジング４３が第１ハウジング４１に固定される。
【００５１】
以上に説明したように、本実施形態のヒュージブルリンク１の場合、第１ハウジング４１に対する第２ハウジング４２及び第３ハウジング４３の向きは、ハウジング間に露出している一対の連絡板部３２，３３及び補強用板部３８，３９の折り曲げによって、変更可能である。
【００５２】
以上に説明したように、本実施形態のヒュージブルリンク１の構成によれば、ヒューズエレメント３０を支持する樹脂製のハウジングが３つの樹脂製ハウジング４１，４２，４３から構成されていて、隣接する樹脂製ハウジング間に露出する一対の連絡板部３２，３３及び補強用板部３８，３９を折り曲げることで、３つ折り構造のコンパクトな形態で使用することができ、バッテリに取り付けた際に省スペース化を達成することができる。
【００５３】
また、隣接する樹脂製ハウジング間に露出する連絡板部３２，３３及び補強用板部３８，３９の折り曲げ方向は、バッテリ側のスペースに合わせて上方又は下方に選択することができる。換言すると、取り付け形態をバッテリ側のスペースに合わせて選択することができ、汎用性を向上させることができる。
【００５４】
また、本実施形態のヒュージブルリンク１の構成によれば、隣接する樹脂製ハウジング間に露出する連絡板部３２，３３を折り曲げた際には、同時に、補強用板部３８，３９が折り曲げられる。そのため、補強用板部３８，３９に折り曲げ形状を維持する剛性を付与しておくことで、車両の振動が導電路となる連絡板部３２，３３に伝達することを抑止して、ヒューズエレメント３０の耐久性を向上させることができる。
【００５５】
また、本実施形態のヒュージブルリンク１の構成によれば、第２ハウジング４２及び第３ハウジング４３に収容される可溶部３６，３７は、これらの樹脂製ハウジングの両面のいずれからも視認することができるため、第２ハウジング４２及び第３ハウジング４３の向きを変更した場合でも、それぞれの可溶部３６，３７が外部から視認可能であり、可溶部３６，３７に対する視認性を向上させることができる。
【００５６】
また、本実施形態のヒュージブルリンク１の構成によれば、隣接する樹脂製ハウジング間に露出する連絡板部３２，３３及び補強用板部３８，３９を折り曲げた際に、ハウジング相互間の相対位置は、それぞれのハウジングに装備された係合部４２ｃ，４３ｃとハウジング係止手段４１ｃとの係合によって、固定される。そのため、車両の振動がヒュージブルリンク１に伝達された際に、各ハウジングが連絡板部３２，３３や補強用板部３８，３９を支点として振動することを防止して、連絡板部３２，３３や補強用板部３８，３９の振動による疲労破壊を抑止することができる。
【００５７】
また、本実施形態のヒュージブルリンク１の構成によれば、外部接続板部３４，３５に接続された外部回路からのケーブルに張力が作用した場合に、前記張力が外部接続板部３４，３５や補強用板部３８，３９に曲げ加重となって作用することを抑止することができ、外部接続板部３４，３５や補強用板部３８，３９の耐久性を向上させることができる。
【００５８】
また、本実施形態のヒュージブルリンク１の構成によれば、第２ハウジング４２や第３ハウジング４３は、連絡板部３２，３３及び補強用板部３８，３９の折り曲げ方向が第１ハウジング４１の上面側になる場合、又は第１ハウジング４１の下面側になる場合のいずれであっても、自体の係合部４２ｃ、４３ｃが、第１ハウジング４１側に装備されているハウジング係止手段４１ｃに係止されて、第１ハウジング４１に固定される。従って、連絡板部３２，３３及び補強用板部３８，３９の折り曲げ方向に拘わらず、向きを変更した第２ハウジング４２や第３ハウジング４３は、しっかりと第１ハウジング４１に固定することができる。
【００５９】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６０】
例えば、向きを変更した第２ハウジングや第３ハウジングを第１ハウジングに固定する係合部及びハウジング係止手段の具体的構造は、適宜に設計変更することができる。
【００６１】
ここで、上述した本発明に係るヒュージブルリンクの実施形態の特徴をそれぞれ以下［１］〜［４］に簡潔に纏めて列記する。
【００６２】
［１］  金属板で一体形成されたヒューズエレメント（３０）と、該ヒューズエレメント（３０）を支持する３つの樹脂製ハウジング（４１，４２，４３）と、を備えて、バッテリ端子に直付けされるヒュージブルリンク（１）であって、
前記ヒューズエレメント（３０）は、
前記バッテリ端子に接続されるバッテリ接続板部（３１）と、
前記バッテリ接続板部（３１）の対向する両側縁から、該両側縁の対向方向外側に向かって延出した一対の連絡板部（３２，３３）と、
外部回路を接続する２つの外部接続板部（３４，３５）であって、前記バッテリ接続板部（３１）の両側で、前記連絡板部（３２，３３）が延出する前記バッテリ接続板部（３１）の側縁（３１ｂ，３１ｃ）と前記連絡板部（３２，３３）とで囲う領域に、前記連絡板部（３２，３３）と前記バッテリ接続板部（３１）とから離間した状態に配置される２つの外部接続板部（３４，３５）と、
前記連絡板部（３２，３３）と該連絡板部（３２，３３）に対向する外部接続板部（３４，３５）とを導通接続すると共に定格以上の電流が流れたときに溶断する可溶部（３６，３７）と、
を備え、
前記３つの樹脂製ハウジング（４１，４２，４３）は、
前記一対の連絡板部（３２，３３）が外部に突出するように前記バッテリ接続板部（３１）を収容する第１ハウジング（４１）と、
前記第１ハウジング（４１）の一側に位置している前記連絡板部（３２）と前記可溶部（３６）と前記外部接続板部（３４）とを、前記第１ハウジング（４１）との間に前記連絡板部（３２）の一部を露出した状態で残して収容する第２ハウジング（４２）と、
前記第１ハウジング（４１）の他側に位置している前記連絡板部（３３）と前記可溶部（３７）と前記外部接続板部（３５）とを、前記第１ハウジング（４１）との間に前記連絡板部（３３）の一部を露出した状態で残して収容する第３ハウジング（４３）と、から構成され、
前記第１ハウジング（４１）に対する前記第２ハウジング（４２）及び前記第３ハウジング（４３）の向きを、ハウジング間に露出している前記連絡板部（３２，３３）の折り曲げによって、変更可能なこと、
を特徴とするヒュージブルリンク（１）。
【００６３】
［２］  上記［１］に記載のヒュージブルリンク（１）において、
前記バッテリ接続板部（３１）の両側縁（３１ｂ，３１ｃ）には、前記連絡板部（３２，３３）と平行に前記バッテリ接続板部（３１）の側縁（３１ｂ，３１ｃ）から延出する補強用板部（３８，３９）が一体形成され、
前記第２ハウジング（４２）及び前記第３ハウジング（４３）は、自体に向かって延びている前記補強用板部（３８，３９）が前記連絡板部（３２，３３）と一緒に折り曲げされるように、自体に向かって延びている前記補強用板部（３８，３９）の先端部を保持していることを特徴とするヒュージブルリンク（１）。
【００６４】
［３］  上記［１］又は［２］に記載のヒュージブルリンク（１）であって、
前記第１ハウジング（４１）には、前記連絡板部（３２，３３）の折り曲げによって前記第２ハウジング（４２）又は前記第３ハウジング（４３）の向きを変えた際に向きを変更したハウジング上の係合部（４２ｃ，４３ｃ）と係合して、該ハウジングの向きを固定するハウジング係止手段（４１ｃ）を備えたことを特徴とするヒュージブルリンク（１）。
【００６５】
［４］  上記［３］に記載のヒュージブルリンク（１）であって、
前記ハウジング係止手段（４１ｃ）は、前記バッテリ接続板部（３１）の板厚方向に対向する両外側面の両側縁寄りの位置にそれぞれ装備されていること、
を特徴とするヒュージブルリンク（１）。
【符号の説明】
【００６６】
１  ヒュージブルリンク
３０  ヒューズエレメント
３１  バッテリ接続板部
３１ｂ，３１ｃ  側縁
３２，３３  連絡板部
３４，３５  外部接続板部
３６，３７  可溶部
３８，３９  補強用板部
４１  第１ハウジング（樹脂製ハウジング）
４１ｃ  ハウジング係止手段
４２  第２ハウジング（樹脂製ハウジング）
４２ｃ  係合部
４３  第３ハウジング（樹脂製ハウジング）
４３ｃ  係合部
【図１】
2014164889.tif 000003
【図２】
2014164889.tif 000004
【図３】
2014164889.tif 000005
【図４】
2014164889.tif 000006
【図５】
2014164889.tif 000007
【図６】
2014164889.tif 000008